Podtech/llm-jp-corpus-v4-ja_patent huggingface dataset:
(57)【要約】      （修正有）【課題】安全にまつげをカールできかつ収納も少容積で可となるまつげカーラーを提供する。【解決手段】まつげカーラーのハンドルに合成樹脂製の弾性体を取り付ける。ハンドルを握ることにより弾性体が押圧されて、まつげをはさむ開口部が閉じ、まつげをカールすることができる。握るのを止めれば、弾性体の反発により、再び開口部が開く。使用後に該弾性体を取りはずすことにより、ハンドルを閉じて収納することができる。合成樹脂からなる弾性体は、金属のバネの様にサビの発生により折れることで、目や顔に傷をつけるおそれが少なくなる。【選択図】図２
0003166491.tif 000002
【実用新案登録請求の範囲】
【請求項１】
ハンドルに合成樹脂製の弾性体をとりつけたまつげカーラーで、その弾性体の一部または全部を移動可能にしたまつげカーラー
【考案の詳細な説明】
【技術分野】
【０００１】本考案はまつげをカールするまつげカーラーに関するものである。
【背景技術】
【０００２】従来のまつげカーラーには［図１］のようにハンドルにバネをつけたものがある。
【考案の開示】
【考案が解決しようとする課題】
【０００３】従来のまつげカーラーには［図１］のようにハンドルにバネをつけたものがある。バネはキズがついたり、サビたりして使用中に折れる事があり、目や顔に傷をつけるおそれがあり、危険である。またバネがハンドルを開いているので収納がむずかしい。
【課題を解決するための手段】
【０００４】［図２］は本考案のハンドルに合成樹脂製の弾性体をつけたまつげカーラーである。合成樹脂製の弾性体はバネのように折れたりせず、目や顔を傷つけることはない。
また［図３］のように使用後に弾性体をとりはずことによりハンドルを閉じて収納できる。
［図４］の本考案は［図２］と同じく作動するが、使用後に［図５］のように弾性体を回転させて移動することにより、ハンドルを閉じて収納することができる。
【考案の効果】
【０００５】本考案の合成樹脂製の弾性体は折れたりする部位がなく、目や顔を傷つけることがない。また弾性体をとりはずしたり、移動することによりハンドルを閉じて収納できる。
【実施例】
【０００６】本考案のまつげカーラー［図２］はハンドルを握ることにより、弾性体が押圧されてまつげをはさむ開口部がとじ、まつげをカールすることができる。握るのをやめれば弾性体の反発により、再び開口部が開く。使用後に［図３］のように弾性体をはずすことによりハンドルを閉じて収納することができる。また［図４］の本考案は使用時は［図２］と同じように作動し、使用後に［図５］のように弾性体を回転させて移動する事によりハンドルを閉じて収納することができる。
【産業上の利用可能性】
【０００７】バネ部を持たないので折れたりする部位がなく、安全にまつげをカールすることができる。また使用後弾性体をはずしたり、移動することによりハンドルを閉じて収納することにより、少ない容積に保管できる。
【図面の簡単な説明】
【０００８】
【図１】従来のハンドルにバネをつけたまつげカーラー
【図２】本考案のハンドルに合成樹脂製弾性体をとりつけたまつげカーラー
【図３】合成樹脂製弾性体全部を移動、とりはずした。
【図４】本考案の実施例の合成樹脂製弾性体をとりつけたまつげカーラー
【図５】合成樹脂製弾性体を回転して移動させた。
【図１】
0003166491.tif 000003
【図２】
0003166491.tif 000004
【図３】
0003166491.tif 000005
【図４】
0003166491.tif 000006
【図５】
0003166491.tif 000007
(57)【要約】      （修正有）【課題】頭を動かさないようにゴルフのスイングの練習をすることができる、メガネに貼るシールを提供する。【解決手段】ボールを狭い視野でしか見えないようにシールの中央に小さな穴を開ける。目の瞳孔に穴の位置を合わせて、シールをサングラスやメガネに貼る。【選択図】図３
0003166500.tif 000002
【実用新案登録請求の範囲】
【請求項１】
遮光性のシールの中央に小さな穴をあけ、その穴を通してしかボールを見えなくし、スイング時に頭が動くと強制的にボールが見えなくなるようにし、かつ容易に貼ったり剥がしたりできるようにすることで目の瞳孔に穴の位置を合わせられるようにしたサングラスや眼鏡のレンズに貼る弱粘性のゴルフ練習用のシール。
【考案の詳細な説明】
【技術分野】
【０００１】本考案は視界を狭めるため遮光性のシールに小さな穴をあけ、貼ったり剥がしたりが容易にできるようにシールを弱粘性にすることで目の瞳孔に穴の位置を合わせることができるようにした眼鏡のレンズに貼る弱粘性のゴルフ練習用のシールに関するものである。
【考案の概要】
【考案が解決しようとする課題】
【０００２】ゴルフのスイング時に頭が上下動するのは悪いスイングとされ、頭を動かさないように意識をしてスイングする人は多い。しかし頭を機械で固定してスイングすることは困難であり、また頭が動いているかを自分で測ることは難しい。
【考案が解決するための手段】
【０００３】サングラスやメガネのレンズに中央に楕円状の小さな穴のあいたシールを貼る。シール本体は視界を遮るよう遮光性の高いものにする。シールを貼ると穴からしか見ることができない。ゴルフのスイング時に頭が上下動すると必然的にボールを見ることができなくなり打つことが難しくなる。またシール本体を弱粘性にすることで、貼ったり剥がしたりすることが容易になり、穴の位置を目の瞳孔に合わせることができ、かつレンズとの接着面を汚さない。
【考案の効果】
【０００４】また、上記従来の問題を解決する為、特開２００３−２９５１２７号公報のようなものが存在した。しかしながら斯かる遮光シールは個人差のある瞳孔間の距離を解消するため穴のサイズを大きくしているため視野が狭くなる効果は薄く、シールを剥がすとレンズを汚すという問題があった。本考案はシールを弱粘性にすることでレンズを汚すことはなく、また貼ったり剥がしたりが容易となるため穴の位置を瞳孔に合わせて調整できるため穴のサイズを小さく設計でき、より視野狭窄の効果が高くなる。楕円状の小さな穴から見ることで視野を狭くし、ゴルフ練習時のヘッドアップなどの頭の上下動を防止することができ、頭が上下動しているかいないかの判断も自分でできるようになる。
【図面の簡単な説明】
【０００５】
【図１】シールの平面図である
【図２】シールの側面図である
【図３】サングラスのレンズにシールを貼った図面である
【考案を実施するための形態】
【０００６】以下、本考案の実施の形態を図示に基づいて説明する。図１は穴のあいたシールの平面図である。図２は側面図であろ。図３はサングラスに貼り付けた状態である。
【０００７】本考案にかかる穴のあいたシールを使用するにあたり、穴の縦幅３ｍｍを標準とした場合、穴の縦幅が２ｍｍのものを使用すれば、より視野が狭くなり頭が上下動することが敏感に感じるようになる。逆に穴の縦幅を５ｍｍと大きくすれば頭が上下動しても視野が広いためボールを打ちやすくなる。
【符号の説明】１シール本体
２穴
【図１】
0003166500.tif 000003
【図２】
0003166500.tif 000004
【図３】
0003166500.tif 000005
(57)【要約】      （修正有）【課題】容易にフルーツの底を残して芯をとり除くことのできるナイフを提供する。【解決手段】鋭利な刃先と鋸状の刃を設けたナイフにおいて、把持部から先端部にかけて除々に湾曲させて刃先部で大きく立ち上げる。本フルーツの芯取りナイフは、上部を切り取ったフルーツの芯の周辺部のところに刃を立て数回挽き回すと外環を残し内側の果肉のみを容易に取ることができるので実用的である。【選択図】図１
0003166493.tif 000002
【実用新案登録請求の範囲】
【請求項１】
鋭利な刃先と鋸状の刃を設けたナイフにおいて、把持部から先端部にかけて除々に湾曲させて刃先部で大きく立ち上げたことを特徴とするフルーツ等の芯取りナイフ。
【考案の詳細な説明】
【技術分野】
【０００１】    本考案は、フルーツ等の芯取りナイフに関する。
【背景技術】
【０００２】ホテルやレストラン料亭等においてフルーツ主に柿やリンゴの芯を取りその窪みに料理等を詰めて提供しているがその芯取りの道具は特になくナイフやスプーン等を使用しているのが現状である。
【先行技術文献】
【特許文献】
【０００３】
【特許文献】公開実用新案公報  昭６３−１３９８１７
【０００４】  前記新案公報  昭６３−１３９８１７にリンゴ等果物の芯取り用具が提案されているが刃先が無いので果物を４つ切りにしたリンゴ等の稜線の芯取りには適していると思われるが丸のままの果肉に刃が立たず芯取りには不可能である。
【考案の概要】
【考案が解決しょうとする課題】
【０００５】従来、フルーツの芯取りは予め上部を切り取り周りにナイフで切り目を入れてスプーン等で掻き出しているのが現状であり芯が固く底に穴をあけることがしばしばあり、手間がかかり営業用には熟練を要するもので、これを容易に解決しようとするものである。
【課題を解決するための手段】
【０００６】本考案は鋭利な刃先と鋸状の刃を設けたナイフにおいて把持部から先端部にかけて除々に湾曲させて刃先部で大きく立ち上げる。
【０００７】本考案の特徴は鋭利な刃先と湾曲した鋸状の刃で果肉に深く差し込み組織を滑らずに容易に切断できことである。しかしフルーツの形状、種類等により湾曲の角度、長さを変える必要があり例えば柿、オレンジ等は緩やかで長いカーブでキュウイ、林檎等はやや深く短いカーブ、グレープフルーツ等は大きく長いカーブが使い易くこれにより適格に底部を残し芯を取ることができるように数種類で対処している。
【０００８】実施例では刃材をステンレス、厚さは約０．５ｍｍとして刃先に柔軟性を持たせており手の感覚で動きに融通を持たせて刃先を自由に操ることができるようにしているのも特徴である。
なお鋸状の刃を片側に設けているが両辺部に設けても良い。
【０００９】これを使用するときは、予め上辺部を切り取り、果肉の任意のところに刃を深く立て鋸刃で数回挽き回すと底部を残し容易に芯を取ることができる。
【考案の効果】
【００１０】上述の様に、本考案のフルーツの芯取りナイフは、上部を切り取ったフルーツの芯の周辺部のところに刃を立て数回挽き回すと外観を残し内側の果肉のみを容易に取ることができるので実用的である。
【図面の簡単な説明】
【００１１】
【図１】本考案の斜視図である。
【図２】本考案のフルーツ等の形状等により湾曲の変化の一例を示す。
【符号の説明】
【００１２】１      ナイフ本体
２      刃先
３      鋸刃
４      把持部
【図１】
0003166493.tif 000003
【図２】
0003166493.tif 000004
(57)【要約】      （修正有）【課題】宝石の脱落をなくし、また宝石の輝きを損なわないようにし、宝石を装着したガラス製品を提供する。【解決手段】ガラス製品に機械加工（エッチング加工）を施し穴をあけ、ガラス製品に機械加工を施した穴に宝石を接着させ装飾することを特徴とする宝石を付けたガラス製品。ガラスフォトフレームに限定されるものではなく、さまざまなガラス製品に適用できる。【選択図】図１
0003166492.tif 000002
【実用新案登録請求の範囲】
【請求項１】
ガラス製品に機械加工（エッチング加工）を施し穴をあけ、ガラス製品に機械加工（エッチング加工）を施した穴に宝石を接着させ装飾することを特徴とする宝石を付けたガラス製品。
【考案の詳細な説明】
【技術分野】
【０００１】この考案は、宝石付きのガラス製品に関するものである。
【背景技術】
【０００２】ガラス製品においては、さまざまな装飾の工夫が凝らされている。
【先行技術文献】
【特許文献】
【０００３】
【特許文献１】実開平７−２０９３５号公報
【特許文献２】実用新案登録第３１４５９９６号公報
【考案の概要】
【考案が解決しようとする課題】
【０００４】実開平７−２０９３５号公報のようにグラス（コップ）、食器の底、あるいは周りにパワーストーン（宝石）をただ単に取り付けるだけでは脱落の恐れがある。実用新案登録第３１４５９９６号公報では、ガラスに加熱し溶融軟化させなくてはけいなく高度な技術が必要となる。
【課題を解決するための手段】
【０００５】本考案の宝石を付けたガラス製品は、ガラス製品に機械加工（エッチング加工）を施し穴をあけ、ガラスに機械加工（エッチング加工）を施した穴に宝石を接着させ装飾することを特徴とする。
【考案の効果】
【０００６】本考案は、ガラス製品に機械加工（エッチング加工）を施し穴をあけることにより、宝石の脱落をなくし、また宝石の輝きを損なわないようにし、宝石を装着したガラス製品を提供する。【０００７】本考案の図面はガラスフォトフレームであるが、ガラスフォトフレームに限定されるものではなく、この考案はさまざなガラス製品に適用できることはいうまでもない。
【図面の簡単な説明】
【０００８】
【図１】本考案の宝石を付けたガラスフォトフレームの斜視図である。
【図２】本考案の正面図である。
【符号の説明】
【０００９】１  ガラスフォトフレーム本体２  宝石３  ガラス４  フレーム内ガラス５  フレーム
【図１】
0003166492.tif 000003
【図２】
0003166492.tif 000004
(57)【要約】      （修正有）【課題】ダンボールシートを加工して物資の輸送用具や保管用具等に供されているダンボール箱を物資の大小により追加折り込み線を利用して容積を小さくしたり容積を増加させて伸縮自在に活用できるリバティケースを提供する。【解決手段】資材の移動や保管の為に使用されるダンボール箱の本体内側に施された基本折込線５と、容積を縮小する時に使用するダンボール箱の本体内側に施された別異折込線６と、利用する別異折込線までの切り込み口４と、容積を拡大する時にダンボール箱の開閉口７である「蓋」の部分に施された別異折込線と、ダンボール箱の容積を拡大しダンボール箱開閉口部分７が全面封鎖出来ない時開閉口部分の隙間より大きなダンボール板紙とで成した事を特徴としてリバティケースを構成する。【選択図】図１
0003166456.tif 000002
【実用新案登録請求の範囲】
【請求項１】
リバティケ−ス本体を構成する平面展開された前後面部及び左右側面部と、更に該前後面部及び左右側面部の夫々の中程までに切込まれた上下の区分切込溝と、該夫々上下の区分切込溝の線上であって、而も前記前後面部分で左右側面部に亘って形成された基本折込線と、該基本折込線に平行して上下に位置する複数の別異折込線とで成した事を特徴としたリバティケ−ス。
【考案の詳細な説明】
【技術分野】
【０００１】
本考案は、素材としてのダンボールシートを加工して物資の輸送用具や保管用具等に供されているダンボ−ル箱が物資の大小により追加折り込み線を利用して容積を小さくしたり容積を増加させる時はダンボール板紙を上下の開口部に利用して伸縮自在に活用できるリバティケ−スに関する。
【背景技術】
【０００２】
ダンボ−ル箱は、一般的にユ−ザ−の利用範囲に合わせた寸法か、それとも少量利用者の為幾つかのタイプを用意して市販される。ところが、どの様な場合でも手持ちのダンボ−ル箱にとって「帯に短く襷に長し」のケ−スやダンボ−ル箱を特注する場合でも多様なタイプを発注し多くの在庫を持たざるを得ない。また、少量利用者の場合は、市販タイプの中から常に大きめのダンボ−ル箱を購入する不経済な購買形態を採らざるを得ずフリ−ケ−スの様な自在なケ−スが待たれる状況です。
【考案の概要】
【考案が解決しようとする課題】
【０００３】
ダンボ−ル箱を物資の輸送用具や保管用具に供される時特注物は物資に合わせてタテ・ヨコ・タカサを規定し作成される。また、少量利用者の為幾つかのタイプを用意して市販される場合は、汎用性を考慮して幾つかのパタ−ンを基軸に作成される。しかし、想定された物資と異なる物資を輸送或いは保管する為にダンボ−ル箱を調達する場合、大は小を兼ねる式で物資より大き目の物を調達せざるを得ない。また、物資の種類が多い業者の場合は、多種類の在庫を持たざるを得ない。いずれにしても、仕方がないとして不経済を承知で対応している状況である。
【課題を解決するための手段】
【０００４】
本考案は、リバティケ−ス本体を構成する平面展開された前後面部及び左右側面部と、更に該前後面部及び左右側面部の夫々の中程までに切込まれた上下の区分切込溝と、該夫々上下の区分切込溝の線上であって、而も前記前後面部分で左右側面部に亘って形成された基本折込線と、該基本折込線に平行して上下に位置する複数の別異折込線とで成した事を特徴としたリバティケ−ス。
【考案の効果】
【０００５】
本考案は、物資の少々の大きさの変化に対応してダンボ−ル箱を換える事が、且つ、ダンボ−ル箱の容積の拡大・縮小もある程度余裕を持って対応でき、ひいては大量・多種類の物資取扱業者でも多くのダンボ−ル箱の在庫を持つ事無く経済的に業務を処理する事が可能となる。
【図面の簡単な説明】
【０００６】
【図１】リバティケ−スの裁断図
【図２】リバティケ−スの組み立てられた状態図
【図３】リバティケ−ス容積増加の組み立てられた状態図
【考案を実施するための形態】
【実施例】
【０００７】
以下、本考案の一実施例について図面を参照して説明する。
図１は、本考案一実施例リバティケ−スのダンボールシートを裁断した図 1を示し
、裁断されたシ−トの  のりしろ 2 を反対側の 3 に貼付し、または、金具で固定し基本折込線5 の所を内側へ折り込む事によりリバティケ−ス本体が出来上がる。
【０００８】
裁断されたダンボールシートに切り込み口 4 が上下に6か所ある。そして、下部の開閉口 7に当たる基本折込線 5 を基点に内側に折り込み粘着テ−プで固定する事により箱としての本体が出来上がる。その中に物資を入れ上部の開閉口 7に当たる基本折込線 5 を基点に内側に折込粘着テ−プで固定する事により物資の移動・保管を容易にする。
【０００９】
これまでのダンボ−ル箱では、物資を移動・保管する時等には取扱物資に合わせて特注する以外は物資より大き目のダンボ−ル箱を用意せねばならなかったが、リバティケ−スを利用する事により即ダンボ−ル箱を変える事無く物資の変化に対応してダンボ−ル箱の容積の拡大・縮小もある程度余裕を持って対応が出来、ひいては大量・多品種の物資取扱業者でも多くのダンボ−ル箱の在庫を持つ事なく経済的に対応が可能となる。  
【００１０】
ダンボールシートから加工する際、図 1の上下の基本折込線5 の上下に数本別異折込線 6 を施す。尚、ここで言う別異折込線 6 とは、ケ−スの大きさにより概念的に大きいケ−スの場合は基本折込線 5との間隔を広く、更に、小さいケ−スの場合は狭くする為の折込線を称する。
【００１１】
物資がケ−スの大きさに対して少量の場合は、基本折込線 5 のリバティケ−ス本体内側に施された別異折込線6 の適宜の所まで切込口止 4a を切り込んで使用する。その場合上下の開閉口 7の部分が、必要以上に大きくなる事が考えられるので不必要な部分は切り除くか或いはケ−スの補強として使用するか適宜処理する。
【００１２】
物資がケ−スの大きさに対して大量の場合は、ケ−スの開閉口 7に施された別異折込線 6 を利用してケ−スの容積を増加させて利用する。その時開閉口 7に施された別異折込線 6を利用したサイドは開閉口 7で開口部分が完全に封鎖出来なくなる。その様な時は、開口部分より大きな別途ダンボ−ル板紙 9 を物資の入れた上に置きその上から開閉口 7の蓋を為し粘着テ−プで物資の上に置いたダンボ−ル板紙 9 を含めて固定する。
【符号の説明】
【００１３】
１．リバティケ−スの本体
２．のりしろ
３．のりしろの受け皿
４．切り込み口
４a.切り込み口止
５．基本折込線
６．別異折込線
７．開閉口
８．リバティケ−スの組み立てられた状態図
９．ダンボール板紙
【図１】
0003166456.tif 000003
【図２】
0003166456.tif 000004
【図３】
0003166456.tif 000005
(57)【要約】      （修正有）【課題】足部と腰部に高低差を設けて、足のしびれや腰痛防止を図った座蒲団を提供する。【解決の手段】座蒲団の前方に組足座２を設け後方部に腰掛坐３をやや高い位置に設け、前後の高低差を有する形状にすることにより、身体が楽な姿勢で利用できるため足部の圧迫を減じる事ができ、足のしびれの解消や腰部の痛みの軽減も計る。座蒲団を構成する布袋に内装する綿及び化繊素材及び発泡成形材からなる布袋緩衝体によって、腰掛座３の部分に上下複層に構成した座蒲団で前後に高低差を設ける。【選択図】図１
0003166922.tif 000002
【実用新案登録請求の範囲】
【請求項１】
畳やカーペット上で用いる座蒲団であって座蒲団の前後の部分に高低差を設けたことを特徴とする腰掛座を設けた座蒲団。
【請求項２】
請求項１に述べた如くの腰掛座を設けた座蒲団であって布袋緩衝体を座蒲団の腰掛座の高さを設けるため、上下に複数層に構成し、前後に高低差を設けるようにした座蒲団。
【考案の詳細な説明】
【技術の分野】
【０００１】本考案は日常利用されている座蒲団に係るものである。
【背景の技術】
【０００２】通常利用されている座蒲団は正方形状の表面は平担なものである。
【考案の概要】
【考案が解決しようとする課題】
【０００３】日常生活で利用する、座蒲団であって実際に使用するとき、又は長時間利用する場合、足のしびれや腰の痛が発生する、本考案はこれらの解決しようとするものである。
【課題を解決するための手段】
【０００４】本考案は正方形状の平坦な座蒲団とは異なり前方には組足をのせる組足座２を設け、後方部には腰掛座３、を設け、更に矢印Ａに示す如く高低差を設けたものである。
【考案の効果】
【０００５】本考案は座蒲団の前方に組足座２を設け後方部に腰掛坐３、をやや高い位置に設けて前後の高低差を有する形状にし身体が楽な姿勢で利用でき足部の圧迫を減じ足のしびれの解消や腰部の痛みの軽減を計ろうとするものである。
【考案を実施するための形態】
【０００６】座蒲団を構成する布袋に内装する綿及び化繊素材及び発泡成形材からなる布袋緩衝体によって腰掛座３の部分に上下複層に構成した座蒲団で前後に高低差を設けたものである。
【実施例】
【０００７】以下添付図に従って一実施例を説明する、図１は斜視図で１の座蒲団の前方部２の組足座３の腰掛座を示す、７に示すは開閉部である。図２は側面図で、矢印Ａに示すは座蒲団の前後の高低差を示す、図３は要部切欠側面図で本体１に内装する４の布袋緩衝体の内装する、繊維状緩衝素材５、及び発泡成形素材６を示す。【０００８】本考案は上述の如く前後に高低差を設けるように構成する、繊維状又は成形素材から成る布袋緩衝体４を腰掛座３の部分に複層に構成し図２の矢印Ａの如く高低差を形成した座蒲団である
【図面の簡単な説明】
【０００９】
【図１】斜視図
【図２】側面図
【図３】要部切欠側面図
【符号の説明】
【００１０】１  座蒲団
２  組足座
３  腰掛座
４  布袋緩衝体
５  繊維状緩衝素材
６  発泡成形素材
７  開閉部
【図１】
0003166922.tif 000003
【図２】
0003166922.tif 000004
【図３】
0003166922.tif 000005
【手続補正書】
【提出日】平成23年1月3日(2011.1.3)
【手続補正１】
【補正対象書類名】図面
【補正対象項目名】全図
【補正方法】変更
【補正の内容】
【図１】
0003166922.tif 000006
【図２】
0003166922.tif 000007
【図３】
0003166922.tif 000008
(57)【要約】      （修正有）【課題】金型が不要で、独創性のある携帯用写真プレートを提供する。【解決手段】エポキシ樹脂の中にレザープリンタのトナー又は印刷物を封入する。【選択図】図１
0003166935.tif 000002
【実用新案登録請求の範囲】
【請求項１】
ポリマーのエポキシ樹脂の中にレザープリンタのトナーを封入して作る透かし絵（Ｔｒａｎｓｐａｒｎｃｙ）携帯用写真プレート
【請求項２】
ポリマーのエポキシ樹脂の中に印刷した用紙を封入して作る半透明の透かし絵携帯用写真プレート
【請求項３】
ポリマーのエポキシ樹脂の中に厚手の用紙の両面に印刷した印刷物を封入して作る携帯用写真プレート
【考案の詳細な説明】
【技術分野】
【０００１】  本考案は、透明プラスチックシート上に印刷されたトナーのみを透明エポキシ樹脂の中に封入して作る、透かし絵（ｔｒａｎｓｐａｒｅｎｃｙ）携帯用写真プレートに関するものである。
【背景技術】
【０００２】  従来から、印刷された印刷物を二枚の透明プラスチック樹脂の間に圧着して作る携帯用写真プレートは存在していた。
【考案が解決しようとする課題】
【０００３】  しかし、この方法で作る写真プレートは、あらかじめ金型によって作られる形が決まった透明プラスチック樹脂を必要とし、定型以外の携帯用写真プレートを作ることが出来なかった。
【０００４】  また、従来の方法で作る携帯用写真プレートは、外部から衝撃が加わると透明プラスチック樹脂と印刷物との間が剥離し携帯用写真プレートとしての価値を損なってしまうことがあった。
【課題を解決するための手段】
【０００５】  そこで、透明プラスチックシート上に濃度１％のポリビニルアルコール水溶液を塗布し乾燥処理をした後、そのシート上にレザープリンタで印刷されたトナーを定着させ、その上に浸透性及び粘性のあるモノマーの透明エポキシ樹脂を滴下し、その表面張力を利用することによって金型を必要とせずに携帯用写真プレートの片面を作る。
【０００６】  また、透明プラスチックシート上に１％ポリビニルアルコール水溶液を塗布する事によって、滴下したモノマーのエポキシ樹脂がポリマーになると、エポキシ樹脂面にトナーが転写定着し、その後、透明プラスチックシートだけを容易に剥がし取ることができる。
【０００７】  透明プラスチックシートを剥がし取りトナーが転写定着したポリマーのエポキシ樹脂面に、同じモノマーの透明エポキシ樹脂を滴下し、それがポリマーになるとトナーがエポキシ樹脂の中に封入された状態になり携帯用写真プレートになる。
【考案の効果】
【０００８】  本考案は、あらかじめの金型を必要としないことから少数の独創性のある（ｏｒｉｇｉｎａｌ）携帯用写真プレートを作る事ができる。
【０００９】  また、トナーが転写定着しているポリマーのエポキシ樹脂面に、浸透性の強いモノマーの透明エポキシ樹脂を滴下することによって、ポリマーのエポキシ樹脂面の凹凸に流れ込み、モノマーのエポキシ樹脂がポリマーになるとアンカー楔型接着し、表裏の間にトナーが封入される状態になり、表裏が一体化し外部よりの衝撃に強く、色素を破壊する有害物質の侵入も阻止できる。
【００１０】  また、モノマーのエポキシ樹脂の浸透性の強い事を利用し透明プラスチックシートを使用せず、印刷された用紙の上にモノマーのエポキシ樹脂を滴下すると、エポキシ樹脂が用紙に浸透し、印刷された用紙を封入し半透明の透かし絵写真プレートを作る事ができる。
【００１１】  さらに、両面に印刷した厚手の用紙を同じ方法でエポキシ樹脂の中に封入する事によって両面に異なった絵柄の携帯用写真プレートを作ることができる。
【図面の簡単な説明】
【図１】  本考案の左上部からの鳥瞰図である。
【図２】  透明プラスチックシート上に印刷されたトナーの側面図
【図３】  透明プラスチックシート上に透明エポキシ樹脂を滴下した側面図である。
【図４】  透明プラスチックシートを剥がし、その上に透明エポキシ樹脂を滴下した側面図である。
【符号の説明】１・・・透明プラスチックシート
２・・・透明プラスチック上に塗布されたポリビニルアルコールの薄い層
３・・・ポリビニルアルコール上の印刷されたトナー
４・・・トナーの上に滴下した透明エポキシ樹脂
５・・・トナーが転写定着したポリマーの透明エポキシ樹脂面上に、滴下した透明エポキシ樹脂
【図１】
0003166935.tif 000003
【図２】
0003166935.tif 000004
【図３】
0003166935.tif 000005
【図４】
0003166935.tif 000006
(57)【要約】      （修正有）【課題】椅子の背もたれの取り付け取り外しが出来、避難しやすく、自分なりのオリジナルの背もたれを付けられる椅子を提供する。【解決手段】椅子の背もたれの取り付け取り外しが出来ることで避難しやすく自分だけのオリジナルの椅子が作れる。車椅子に利用すれば背もたれを外し車椅子とシングルベットとのすき間に橋渡しの台を付け、台の上に患者さんを滑らせて乗せ座ってから背もたれを取り付ける、そして車椅子からシングルベットに移動するときは背もたれを外し、車椅子とシングルベットとの橋渡しの台を付け、台の上を滑らし前から押し又シングルベット側から引きシングルベットへ移動できる乗り降りしやすい車椅子になる。【選択図】図１
0003166936.tif 000002
【実用新案登録請求の範囲】
【請求項１】
背もたれを取り付け取り外し可能にした椅子。
【考案の詳細な説明】
【技術分野】
【０００１】この考案は  椅子の背もたれを取り付け取り外しが出来、避難しやすい椅子と、世界に１つしかない自分のなりのオリジナルの背もたれを付けられる椅子。
【背景技術】
【０００２】椅子の背もたれが図１の様に、取り付け取り外しが出来るので避難しやすい椅子と  自分の好きな［形や色］背もたれが付けられ愛知のある椅子になる。
車椅子に利用すれば、背もたれの部分を取り外しシングルベットと車椅子のすき間に橋渡しの台をして、クッションや座り椅子に患者さんを乗せ橋渡しの台の上を滑らせて車椅子に乗せてから背もたれを取り付ければ、患者さんも、介護士さんも楽に使える。
【考案の開示】
【考案が解決しようとする課題】
【０００３】今までの椅子は、背もたれが固定なために大きな会館の椅子が横並びに多く並べて使っているので非常時に逃げにくく、少しでも災害に成らない事を願うのと、自分なりのオリジナルの椅子がほしく考案しました。
【課題を解決するための手段】
【０００４】この考案は、椅子の背もたれが取り付け取り外し出来るので椅子を横並びの多く使うときに背もたれが取り付け取り外し出来る椅子を何列目かに立て並べに使えば非常時に背もたれを外して通れるようにする事で被害も減る、又、車椅子に利用すれば背もたれの部分を外しシングルベットと車椅子のすき間に橋渡しに台おして患者さを橋渡しの台の上を滑らせて乗せて、背もたれを取り付けて使えば背中の方から乗り降りしやすい車椅子になる。
【考案の効果】
【０００５】椅子の背もたれを取り外しが出来るようにした事で、避難しやすい椅子と自分だけの世界に一つしかない椅子が出来る、又、車いすに利用すれば、背もたれの部分を取り外してシングルベットと車椅子のすき間に橋渡しの台をし、台の上を滑らせて乗せ、座ってから背もたれを取り付ける事で、介護する人の負担が軽くなり今より乗り降りしやすい車椅子になる。
【考案を実施するための最良の形勢】
【実施例】
【産業上の利用可能性】
【０００６】この考案の一実施形能、図１に示す。
椅子の背もたれお取り付け取り外しが出来る事で、避難しやすい椅子と世界に一つしかない好きなオリズナルの椅子が出来き、又、車椅子に利用すれば、背もたれを外し車椅子とシングルベットのすき間に橋渡しの台を付け、クッションや座り椅子などの上に患者さんを乗せ橋渡しの台の上を滑らせ車椅子に乗せ、座ってから背もたれを付けて使う事で  乗り降り楽な車椅子になる。
【図面の簡単な説明】
【０００７】
【図１】好きなオリジナルの背もたれが取り付けられる椅子。１  椅子を横から見た図  Ａ  背もたれ  ２  椅子の背もたれを外し後ろから見た図  Ｂは背もたれを取る付ける所
【図２】車椅子に利用した図  １ａ  車椅子を横から見た図  ２ａ  車椅子の背もたれを外した車椅子の後ろから見た図  Ｂは背もたれを付ける所
【図１】
0003166936.tif 000003
【図２】
0003166936.tif 000004
(57)【要約】      （修正有）【課題】操作を簡単にし、異なるボルトの太さと、異なるコンクリート巾に対応するアンカーボルト吊り具を提供する。【解決手段】仮型枠をまたぐ形で、仮型枠を２本の金属棒８，１１で双方から挟める巾であり、その先端は内向きの鈎状で外補強壁の先端に引っ掛ける形状であり、窪み３を設けて天場板間に隙間をあけテコとし、更に２本の金属棒を内向きに変形させ交点で、内主壁側に並列させ、接着されており、下部に向け折り返して、内主壁を押し圧する。仮型枠天場上に伸びた一方の先端部分に突起部９と指当て部１０が設けてあり、残る一方の先端部には、変曲させた掛け金部１２と引き寄せ部１３が設けられる。【選択図】図１
0003166934.tif 000002
【実用新案登録請求の範囲】
【請求項１】
左右に仮設された巾の異なる仮型枠の中間に、異なる太さのアンカーボルトを吊ることに関する、その主となる形態は、外補強壁、天場板、内主壁、が左右から向き合う形である、使用される金属棒は約２．４ミリ前後で、その形状は前記仮型枠をまたぐ形で、仮型枠を２本の金属棒で双方から挟める巾であり、その先端は内向きの鈎状で前記外補強壁の先端に引っ掛ける形状であり、前記天場板上面での形状は窪みを設け前期天場板間に隙間をあけテコとし、更に２本の金属棒を内向きに変形させ交点で前記、内主壁側に並列させ、接着されており、下部に向け折り返して前記、内主壁を押し圧する、２本の金属棒が前記、左右の右側となる、仮型枠天場上に伸びた一方の先端部分に突起部と指当て部が設けてあり、残る一方の先端部には、平行、水平位置から突起部の背後となる変曲させた掛け金部と引き寄せ部で構成されてをり、鋼材はバネ化されている、を特徴とするアンカーボルト吊り具。
【考案の詳細な説明】
【技術分野】
【０００１】  本考案は仮型枠間にアンカーボルトをセットする、に関するものである。
【背景技術】
【０００２】  操作が困難であり、異なるコンクリート巾に対応できない。
【考案の開示】
【考案が解決しようとする課題】
【０００３】  操作を簡単にし、異なるボルトの太さと、異なるコンクリート巾に対応させる。
【課題を解決するための手段】
【０００４】  金属棒にすること、引っ掛ける、押し込む、挟む、簡単な操作で故障を少なくする、片方だけの固定とし異なるコンクリート巾に対応できる、で課題を解決する。
【考案の効果】
【０００５】  一体化と、操作を簡単にし、作業時間が短縮出来ることである。
【考案を実施する為の最良の形態】
【０００６】  以下図面にもとずいて説明する、
左右に仮設された巾の異なる仮型枠の中間に、異なる太さのアンカーボルトを吊ることに関する、その主となる形態は、外補強壁、天場板、内主壁、が左右から向き合う形である、使用される金属棒は約２．４ミリ前後で、その形状は前記仮型枠をまたぐ形で、仮型枠を２本の金属棒で双方から挟める巾であり、その先端は内向きの鈎状の曲がり図１−２であり、外補強壁図２−ウの先端に引っ掛る形状であり、天場板図２−ア上の形状は、窪み図１−３を設け、天場板図２−アの間に隙間を明け、テコとし更に２本の金属棒を内向きに変形させ交点で内主壁図２−エ側に並列させ、接着され、内主壁図２−エに沿って、下部に向きから上に折り返した、枠押さえ部、図１−７であり、アンカーボルト吊り具を仮型枠に固定し、動止させる、次にはアンカーボルト吊り部について説明する、２本の金属棒は、対向する右仮型枠、図２−イの上に伸び一方の先端部分に突起部と指当て部を設け、残る一方の先端部には、平行で水平の位置から、前記、突起部の後部に落とし込める、掛け金、図１−１２と引き寄せ部、図１−１３で、その巾はアンカーボルトを吊る位置でアンカーボルト図２−Ａが上から差し込める巾でバネ化されている、がアンカーボルト吊り具を実施する為の最良の形態。
【図面の簡単な説明】
【０００７】
【図１】  本考案の斜視図
【図２】  本考案を使用した斜視図
【符号の説明】
【０００８】１    仮型枠外面                  ア    天場板
２    鈎状の曲がり                イ    右仮型枠
３    窪み                        ウ    外補強壁
４    上面                        エ    内主壁
５    内曲がり
６    接着部                      Ａ    アンカーボルト
７    枠押さえ部
８    金属棒一
９    突起部
１０  指当て部
１１  金属棒二
１２  掛け金
１３  引き寄せ部
【図１】
0003166934.tif 000003
【図２】
0003166934.tif 000004
(57)【要約】【課題】魚が釣れてもオモリ仕掛けが砂地の中を引きづるので、敏感に分かりにくい。【解決手段】オモリ２と、ウキ１と、サルカン８を介してウキ１に接続した縦接続棒４と、ハリス仕掛け止め５１とビーズ６１を両端にもつビニール管Ａ（７１）と、道糸止め５２とビーズ６２を両端にもつビニール管Ｂ（７２）のビーズ６１とビーズ６２を接続する横接続棒３を備え、前記縦接続棒４には通し穴９を設け、横接続棒３を、通し穴９に通し、横接続棒３の両側のビーズ６１とビーズ６２が、ストッパとなり横接続棒３がビーズ間で移動できるようにし、投げずりで、仕掛けが海底についたときに、ウキ１の浮力で、オモリ２を立たせるとともに、横接続棒３を海底から浮かすようにして、オモリが海底の砂の中を引きずらないようにしたことを特徴とする魚釣り具。【選択図】図１
0003166939.tif 000002
【実用新案登録請求の範囲】
【請求項１】
オモリ２と、ウキ１と、サルカン８を介してウキ１に接続した縦接続棒４と、ハリス仕掛止め５１とビーズ６１を両端にもつビニール管Ａ（７１）と、道糸止め５２とビーズ６２を両端にもつビニール管Ｂ（７２）のビーズ６１とビーズ６２を接続する横接続棒３を備え、前記縦接続棒４には通し穴９を設け、横接続棒３を、通し穴９に通し、横接続棒３の両側のビーズ６１とビーズ６２が、ストッパとなり横接続棒３がビーズ間で移動できるようにし、投げずりで、仕掛けが海底についたときに、ウキ１の浮力で、オモリ２を立たせるとともに、横接続棒３を海底から浮かすようにして、オモリが海底の砂の中を引きずらないようにしたことを特徴とする魚釣り具。
【請求項２】
縦接続棒４と横接続棒３がステンレスで構成したことを特徴とする請求項１記載の魚釣り具。
【考案の詳細な説明】
【技術分野】
【０００１】魚が釣れたときに、敏感に分かるようにした魚釣り用具に関する。
【背景技術】
【０００２】従来は、投げ釣りの魚釣り用具で、魚が釣れても、オモリ仕掛けが砂地の中を引きづるので、敏感に分かりにくい。
【先行技術文献】
【特許文献】
【０００３】
【特許文献１】特開平５−５６７３３公報
【考案の概要】
【考案が解決しようとする課題】
【０００４】投げ釣り用具で、あたりがでて糸をひっぱられた時にオモリが砂にめり込むため抵抗となり、魚が釣れたときの当たりが分かりにくい。
【課題を解決するための手段】
【０００５】オモリ２と、ウキ１と、サルカン８を介してウキ１に接続した縦接続棒４と、ハリス仕掛け止め５１とビーズ６１を両端にもつビニール管Ａ（７１）と、道糸止め５２とビーズ６２を両端にもつビニール管Ｂ（７２）のビーズ６１とビーズ６２を接続する横接続棒３を備え、前記縦接続棒４には通し穴９を設け、横接続棒３を、通し穴９に通し、横接続棒３の両側のビーズ６１とビーズ６２が、ストッパとなり横接続棒３がビーズ間で移動できるようにし、投げずりで、仕掛けが海底についたときに、ウキ１の浮力で、オモリ２を立たせるとともに、横接続棒３を海底から浮かすようにして、オモリが海底の砂の中を引きずらないようにしたことを特徴とする魚釣り具。【０００６】縦接続棒４と横接続棒３をステンレスで構成したことを特徴とする請求項１記載の魚釣り具。
【考案の効果】
【０００７】１）オモリが海底の砂の中を引きずらない。
２）魚が釣れたとき当たりが敏感に分かるため、確実に魚を釣ることができる。
３）海草や木切れ、石などに引っ掛かりにくい。
【図面の簡単な説明】
【０００８】
【図１】本考案の魚釣り具の構成
【図２】本考案の魚釣り具の使用例
【考案を実施するための形態】
【０００９】本考案の構成を図１で説明する。
本考案は、オモリ２と、ウキ１と、サルカン８を介してウキ１に接続した縦接続棒４と、ハリス仕掛け止め５１とビーズ６１を両端にもつビニール管Ａ（７１）と、道糸止め５２とビーズ６２を両端にもつビニール管Ｂ（７２）とを備え、ビニール管Ａ（７１）とビニール管Ｂ（７２）のビーズ６１とビーズ６２を接続する横接続棒３を備え、縦接続棒４には通し穴９を設け、横接続棒３が通され、横接続棒３が通し穴９を左右に動くとき、横接続棒３の両側のビーズ６１とビーズ６２が、ストッパとしてはたらく。
横接続棒３は、ビーズ６１から６２の長さだけ、通し穴９に対して自由にうごける。
【００１０】図２は本考案の使用例を示す。投げ釣りされたときの、本考案の魚釣具の状態を示す。
本考案の魚釣具では、図２に示すように、ウキ１の浮力で、オモリ２を立たせ、横接続棒３を海底から浮かすようにしている。これにより、投げ釣りで、仕掛けが海底についたときに、ウキ１の浮力で、オモリ２を立たせ且つ、横接続棒３を海底から浮かすようにして、オモリはウキの浮力で、海底ギリギリ砂の上をひきずる。
釣り針に魚が引っかかると、仕掛け止め５１がひっぱられ、横接続棒３が左方向に移動して、ビーズ６２が通し穴９に当たり、道糸に伝わり、魚の当たりが釣り人に伝わる。
【産業上の利用可能性】
【００１１】魚の当たりがわかり易い魚釣り具を提供する。
【符号の説明】
【００１２】１    ウキ
２    オモリ
３    横接続棒
４    縦接続棒
５１  ハリス仕掛け止め
５２  道糸止め
６    ビーズ
６１  ビーズ
６２  ビーズ
７    ビニール管
７１  ビニール管Ａ
７２  ビニール管Ｂ
８    スナップ付きサルカン
９    通し穴
【図１】
0003166939.tif 000003
【図２】
0003166939.tif 000004
(57)【要約】      （修正有）【課題】視覚及び触感に変化を持たせたアクセサリーを提供する。【解決手段】ゲル、スポンジ等柔軟材料を充填したマウスパッドを模した本体に開けた穴にチェーン、リング等の連結部品を取り付け、鞄、携帯電話等取り付け対象物品に取り付ける。【選択図】図１
0003166902.tif 000002
【実用新案登録請求の範囲】
【請求項１】
柔軟な素材を表面一部に充填したマウスパッドを模した本体部分と、これを連結部品により取り付け対象物品と連結可能としたアクセサリー。
【請求項２】
柔軟な素材を本体表面の一部分に充填し視覚的変化ないしは触感的変化、あるいはその両方を有し、且つ連結用部品によって取り付け対象物品と連結可能な機能を有するアクセサリー。
【考案の詳細な説明】
【技術分野】
【０００１】  本考案は、携帯電話あるいは鞄等に取り付けることのできるアクセサリーに関するものである。
【背景技術】
【０００２】  マウスパッドの一部に柔軟な素材を充填し、視覚的変化及び触感の変化を持たせたマウスパッドが存在する。このマウスパッドのように、柔軟な素材を利用して視覚的及び触感的な変化をもったアクセサリーを携帯電話や鞄等に取り付けて使用したいという要望があった。
【考案の概要】
【考案が解決しようとする課題】
【０００３】  柔軟素材充填部を備えることにより視覚的変化及び触感の変化を持つ、鞄や携帯電話等に取り付けが可能なアクセサリーを提供すること。
【課題を解決するための手段】
【０００４】  本考案におけるアクセサリーは、一部に柔軟素材を充填し視覚および触感の変化をもたせ、あるいはパソコン操作時に手首の委託を可能としたマウスパッドを模した、一部に柔軟素材充填部が配置された樹脂製基部とこれを被覆する素材により構成されるアクセサリー本体、前記アクセサリー本体を取り付け対象に連結するための部品を有する。【０００５】  充填する柔軟素材にはゲル、スポンジ、液体などが利用できる。
【考案の効果】
【０００６】  アクセサリー本体に柔軟素材充填部を有することにより視覚および触感の変化を実現できる。【０００７】  アクセサリー表面の素材に印刷を施すことにより視覚的変化を実現できる。【０００８】  前記柔軟素材充填部の位置および形状、表面への印刷により例えば人体の胸部、果物、機器操作部分などを模擬的に再現することができる。
【実施例】
【０００９】  以下、添付図面に従って一実施例を説明する。１は本体基部、２は柔軟素材充填部、３は取り付け対象物品との連結用部品である。
【図面の簡単な説明】
【００１０】
【図１】本考案の柔軟素材充填部持つアクセサリーの正面図である。
【図２】本考案の柔軟素材充填部持つアクセサリーの側面図である。
【図３】本考案の柔軟素材充填部を以って人体胸部をを表現したアクセサリーの正面図である。
【図４】本考案の柔軟素材充填部を以って機器操作部分を表現したアクセサリーの正面図である。
【符号の説明】
【００１１】  １    本体基部
２    柔軟素材充填部
３    連結用部品
【図１】
0003166902.tif 000003
【図２】
0003166902.tif 000004
【図３】
0003166902.tif 000005
【図４】
0003166902.tif 000006
【手続補正書】
【提出日】平成23年1月6日(2011.1.6)
【手続補正１】
【補正対象書類名】実用新案登録請求の範囲
【補正対象項目名】全文
【補正方法】変更
【補正の内容】
【実用新案登録請求の範囲】
【請求項１】
ゲル、スポンジ等柔軟材料を充填したマウスパッドを模した本体に開けた穴にチェーン、リング等の連結部品を取り付け、鞄、携帯電話等取り付け対象物品に取り付けることを可能としたアクセサリー。
(57)【要約】【課題】  空港のカウンターは、重いトランクがぶつかるため、凹んだり傷付いたりしているので、それを防ぐ。【解決手段】  今まで空港のカウンターは、重いトランクがぶつかるため、傷が付いたり凹んだりした。今までは、トランクがぶつかるところにはステンレスが使われていたが、それを５〜１５ｍ／ｍ位のソリッドメラミンに代えることにより、凹むことがなくなる。傷が付いたところは、塩ビシートを貼ることで新品と同様にすることができる。【選択図】図１
0003166903.tif 000002
【実用新案登録請求の範囲】
【請求項１】
空港のチェックインカウンターに、重いトランクなどがあたっても傷や凹みができないようにするために、あたる部分に５〜１５ｍ／ｍのソリッドメラミンを使用したカウンター。
【考案の詳細な説明】
【技術分野】
【０００１】  メラミンコアを用いることにより、重い荷物がぶつかっても傷が付かず、また、傷が付いても凹むことはないので、塩ビシートを貼るなどして簡単に元通りにすることができる。
【背景技術】
【０００２】  空港のチェックインカウンターは、今まではスーツケースなどがぶつかる可能性があるところには傷が付かないようにステンレスが使用されていた。しかし、ステンレスの場合、凹む問題があった。
【先行技術文献】
【０００３】
【非特許文献】
【非特許文献】「「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【考案が解決しようとする課題】
【０００４】  ステンレス板などを加工すると凹む。凹むからといってステンレスに厚さを持たせると、高価で、重くなる。
【課題を解決するための手段】
【０００５】  ステンレスの代わりに５〜１５ｍ／ｍのメラミンコア（ソリッドメラミン）を使用することにより、凹まず、重さは今までのステンレスより軽くなる。
【図面の簡単な説明】
【０００６】
【図１】斜視図  １１ａ、１２ａ、１３ａはカウンターのサイドボードであるが、今まではここにステンレスを使用していたために、重いトランクがあたると段々凹んできたりした。ここにソリッドメラミンを取り付けることにより、凹まないようにする。また、傷が付いた時は、塩ビシートなどを貼って新品同様にする。
【図１】
0003166903.tif 000003
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
空港のチェックインカウンターにおいて荷物を預ける際、重いトランクなどがあたっても傷や凹みができないようにするために、荷物の当たるカウンター側面部分に５〜１５ｍｍのソリッドメラミンを使用したカウンター。
(57)【要約】      （修正有）【課題】学生服や作業衣の胸ポケットに着する安全で、生地を傷めることなく、外れ難いネームプレートを提供する。【解決手段】ポケット口布に歯止め丸穴を設け、ネームプレート３ａ背面にある鉤型状部分４を、丸穴に差し込むことにより、生地５を痛めず外れにくく、しかも生地との接着面が大きいため安定性がある、取り外し簡単ネームプレートを形成する。【選択図】図６
0003166904.tif 000002
【実用新案登録請求の範囲】
【請求項１】
ネームプレート本体の背面に有する鉤型部分を、着するポケット口布の歯止め丸穴に差し込むことにより、生地との接着面が大きくなり、外れにくい安定性のあることを特徴とする取り外し簡単ネームプレート。
【考案の詳細な説明】
【技術分野】
【０００１】この考案は、主に学生服や作業衣の胸ポケットに着するネームプレートに関するものである。
【背景技術】
【０００２】従来より、胸ポケット着するネームプレートなどはあった。
【考案の開示】
【考案を解決しようとする課題】
【０００３】これは次のような欠点ががあった。
（イ）ピン留型やクリップ型のネームプレートは生地を痛めていた。
（ロ）ピン留型やクリップ型のネームプレートは生地に取り付ける際、金属製からなるピンやクリップを使用、先端が細く、尖っているため危険性があった。
（ハ）ピン留型やクリップ型のネームプレートは生地との接着面が少ないため不安定であった。
（二）ピン留型やクリップ型のネームプレートは外れやすい欠点があった。
本考案は、以上の欠点を解決するために考案されたものである。
【課題を解決するための手段】
【０００４】着するポケット口布に歯止め丸穴（１）を設け、着用することを特徴とした、取り外し簡単ネームプレートである。
【考案の効果】
【０００５】ネームプレートの取り外しが簡単にでき、生地との接着面が大きく安定し取れにくいし、鉤型状部分を平面かつ隅丸にすることにより、人体に及ぼす危険性が少なく生地を痛めることがない。
【考案を実施するための最良の形態】
【０００６】以下、本考案を実施するための最良の形態を説明する。
（イ）鈎型状プレートを着する歯止め丸穴を上衣胸ポケットに受け口として設ける。
（ロ）プレート本体の背面、鉤型状部分（７）を生地の歯止め丸穴に通し差し込む、これにより生地と接着面が大きくなり、安定させることができる。
【図面の簡単な説明】
【０００７】
【図１】本考案の取り付け部分正面図
【図２】本考案の正面図
【図３】本考案の側面図
【図４】本考案の背面図
【図５】本考案の背面斜視図
【図６】本考案の組み合わせを示す側面図
【図７】本考案の差込使用状態を示す側面図
【符号の説明】
【０００８】１、ポケット口布
２、歯止め丸穴
３、プレート本体
４、鉤型状部分
５、生地
【図１】
0003166904.tif 000003
【図２】
0003166904.tif 000004
【図３】
0003166904.tif 000005
【図４】
0003166904.tif 000006
【図５】
0003166904.tif 000007
【図６】
0003166904.tif 000008
【図７】
0003166904.tif 000009
【手続補正書】
【提出日】平成23年1月20日(2011.1.20)
【手続補正１】
【補正対象書類名】図面
【補正対象項目名】図２
【補正方法】変更
【補正の内容】
【図２】
0003166904.tif 000010